(57)【要約】【課題】第一に、グラスを常に安定した状態で載置できる構成を提供すること、第二に、コースターの面上に載置したグラス内の水性飲料にシート状磁石に基づく磁性を安定的に作用させ、水性飲料中の水分子を舌触りのよい美味な味わいの水質に変換し得る磁性コースターを提供することである。【解決手段】磁性コースター１は、シート状磁石３の上下面に同一大きさ、同一面積の基材シート２が、シート状磁石３と基材シート２との主体面部分が均等な厚さとなるように接着剤４を介して積層されてなることを特徴とする。【選択図】図１
2004049550.tif 000002
【特許請求の範囲】
【請求項１】
シート状磁石の上面に厚手の基材シートが、シート状磁石と基材シートとの主体面部分が均等な厚さとなるように積層されてなることを特徴とする磁性コースター。
【請求項２】
シート状磁石が、基材シートに設けられたシート状磁石の厚みに対応する深さの凹形部に嵌め込まれた状態で積層されている請求項１に記載された磁性コースター。
【請求項３】
シート状磁石が、基材シートの平面全体に及ぶ外径大きさの環状形である請求項１又は２に記載された磁性コースター。
【請求項４】
シート状磁石と基材シートとの積層材に対し、その周端縁に端縁部材を設けた請求項１、２又は３に記載された磁性コースター。
【発明の詳細な説明】
【０００１】
【発明の属する技術分野】
本発明は、シート状磁石を内装したコースターにつき、厚みを均一に形成することができること、およびシート状磁石に基づく磁性（磁力線）作用を載設したグラス内の水性飲料等に効果的に作用させることができる磁性コースターに関するものである。
【０００２】
【従来の技術】
従来、シート状磁石を厚手紙材などの２枚の基材シートの間に挟持させてなる磁性コースターが存在する。かつてのコースターは、単に水性飲料を収容するグラスを安定した状態で載設するためだけのものであった。しかし、シート状磁石などの磁石に基づく磁性作用が、グラスに収容した水性飲料の水分子に作用し、含有する水分子を活性化して、水性飲料を美味にできることが判明した。
【０００３】
すなわち、水分子は数１０個単位で、通常、乱雑水と呼ばれる水の分子集団の状態で存在している。この乱雑水は、水分子を多く含み構造が安定していないので、舌触りが悪く、その水性飲料については美味が劣るという欠点がある。このような乱雑水に磁石の磁性を作用させると、乱雑水の水分子が５〜６個のより小さい集団の構造水に分散される。このように水分子が小集団化されると、水質が改善され、舌触りのよい水となり、その水性飲料が美味に感じられるものとして得られるのである。
【０００４】
【発明が解決しようとする課題】
しかしながら、上記したような磁石の作用を利用する従来の磁性コースター５０は、図８に示すように、単にシート状磁石５２を２枚の基材シート５１の間に挟持した状態で接着剤５３により接着したのに過ぎないから、シート状磁石５２の存在する部分で厚みに食い違いが生じて、主体面での厚みが不均一となる。厚みが不均一なコースター５０は、グラスを安定した状態で載置できないという欠点がある。また、シート状磁石５２が存在する部分で性状が異なることから、コースター５０は全体として性状のバラツキが生じてしまう。
【０００５】
しかも、従来の磁性コースター５０では、シート状磁石５２が基材シート５１の全面をカバーしていないため、グラスの載設位置によっては、シート状磁石５２の磁性作用が不完全な状態となるから、グラス内の水性飲料に対する磁性作用が不十分となることがある。
【０００６】
そこで、本発明は、第一に、グラスを常に安定した状態で載置できる構成を提供すること、第二に、コースターの面上に載置したグラス内の水性飲料にシート状磁石に基づく磁性を安定的に作用させ、水性飲料中の水分子を舌触りのよい美味な味わいの水質に変換し得る磁性コースターを提供することを目的とした。
【０００７】
【課題を解決するための手段】
上記した目的を達成するため、本発明の磁性コースターは、シート状磁石の上面に厚手の基材シートが、シート状磁石と基材シートとの主体面部分が均等な厚さとなるように積層されてなることを特徴とする。
【０００８】
本発明において、シート状磁石と基材シートとの主体面部分が均等な厚さとなるように積層されてなる構成は、シート状磁石と基材シートとがサンドイッチ状に積層することにより得ることができるほか、シート状磁石が、基材シートに設けられたシート状磁石の厚みに対応する深さの凹面に嵌め込まれた状態で積層した構成などにより、得ることができる。上記後者の構成によれば、記材シートに設けた凹部にシート状磁石を嵌め込むことにより、コースターの主体面の全面の厚みを均一化できるからである。
【０００９】
本発明のシート状磁石としては、通常の硬質の板状磁石や、柔軟質樹脂で固めた柔軟質のシート状磁石などを使用することができる。柔軟質のものであれば、基材シートが柔軟性のものであれば、全体として柔軟質の磁性コースターとすることができる利点がある。シート状磁石は、厚みが２〜５ｍｍ程度であり、また、グラス内の水性飲料に磁性作用を良好に作用させるために、５００〜７００ガウス程度の磁力の磁石であることが好ましい。
【００１０】
基材シートとしては、従来同様のコルク材、ゴム材、レザー材、厚紙材、フェルト材のほか、スス竹合板などを用いることができる。基材シートの厚みは、コースターとしての用法に対応して、２〜５ｍｍの厚みのものであることが好ましい。
【００１１】
シート状基材と基材シートとの間の積層には、接着剤などを利用して接着することにより、両者を合体させることができる。
【００１２】
本発明の磁性コースターでは、シート状磁石が、基材シートの平面全体に及ぶ外径大きさの環状形であるようにした構成が含まれる。
【００１３】
環状形のシート状磁石であれば、載置したグラスの水性飲料に対し、その磁性を作用させることができると共に、シート状磁石を環状形としたので軽量化を図ることができる点で有利である。
【００１４】
本発明では、シート状磁石と基材シートとの積層材に対し、その周端縁に端縁部材を設けた構成としたものを含む。
【００１５】
端縁部材を設けることにより、シート状磁石と基材シートとの積層材の端縁部分を合わせた状態で補強できるからである。この端縁部材としては、ステンレス等の非磁性金属材料や、木質材料、スス竹等の天然材料など、コースターとしての美観、使用感を高めることができるものを使用することができる。また、本発明の磁性コースターは、円形、四角形、ひし形など多様な平面形状のものとすることができる。
【００１６】
【発明の実施の形態】
次に、本発明に係る磁性コースターの実施の形態を図に基づいて説明する。図１に示す磁性コースター１は、コルク材からなる基材シート２、２の間にシート状磁石３を接着剤４により接着することにより積層し、さらに圧縮加工により一体化した厚さのものである。
【００１７】
この磁性コースター１は、シート状磁石３と各基材シート２とが同一形状で同一面積の積層体であるため、その主体面全体が平面形態のものとなっている。また、シート状磁石３が柔軟質質のものである場合、磁性コースター１は全体として柔軟性のものとして得ることができる。
【００１８】
磁性コースター１では、シート状磁石３が積層体（磁性コースター１）の全面に及ぶ形態で構成されているため、磁性コースター１に載置されたグラスの水性飲料に対しては、グラスの載置位置にかかわらず、シート状磁石３に基づく磁性が常に効果的に作用する。
【００１９】
この磁性コースター１については、図２に示すように、その積層体の周縁部をステンレスなどの金属製の環状の端縁部材５を設けた磁性コースター１０の構成とすることができる。
【００２０】
端縁部材５は、その上面に沿って凹形部５ａに形成され、下面位置に係止壁５ｂを備えている。したがって、磁性コースター１を凹形部５ａ内に挿入して係止壁５ｂで支持させた後に、固定リング６を凹形部５ａの内部に嵌入することによって、磁性コースター１の積層体を端縁部材５に固定して磁性コースター１０を得ることができる。
【００２１】
磁性コースター１０では、磁性コースター１の積層体に対し、その周端縁を端縁部材５により固定したものであるから、その積層体の各基材シート２とシート状磁石３との接着剤４による一体化状態をより強固にできると共に、端縁部材５を設けることによりコースターとしての外観をより高めることができる。
【００２２】
図３に示すように、磁性コースター１については、その周端縁に断面コ字状の端縁部材７を挟着し、さらに磁性コースター１の上面にシート部材８で被覆した構成の磁性コースター２０とすることができる。
【００２３】
端縁部材７は、環状の薄厚金属材の周縁部を折曲して断面コ字状に形成したものである。磁性コースター１の周端縁に端縁部材７を設ける手段としては、磁性コースター１を端縁部材の折曲過程で挟み込む手段、あるいは端縁部材７のコ字状の凹部に磁性コースター１の終縁部を嵌入する手段のいずれの方法によってもよい。端縁部材７は、前記した端縁部材５と同様の作用を発揮する。
【００２４】
さらに、磁性コースター２０では、端縁部材７により周縁部を固定した磁性コースター１の上方面がシート部材８により被覆されている。シート部材８としては、スス竹などの天然材によることができる。シート部材８により被覆により、外観が天然材により、より高められている。
【００２５】
図４および図５に示す磁性コースター３０は、円板形の基材シート３１の下面に環状形の基材シート３２を接着し、この接着基材シートに凹形部３２ａを形成する。凹形部３２ａの内部に円板形状のシート状磁石３３を挿入して、接着剤３４により固定したものである。
【００２６】
磁性コースター３０では、シート状磁石３３が基材シート３１の凹形部３２ａの内部に挿入され、接着剤３４により固定されたものであるから、シート状磁石３３を安定して配設することが可能である。また、シート状磁石３３の厚みを凹形部３２ａの深さと合致させることにより、磁性コースター３０の主体面における厚さを均等に構成することができる（図５参照。）。このように磁性コースター３０によれば、主体面における厚みが均等であるから、グラスを安定的に載置することができる。
【００２７】
図６および図７に示す磁性コースター４０は、円板形の基材シート４１の下面に円板形の基材シート４２を接着剤４４で接着して段差凹部４２ａを設け、段差凹部４２ａに環状形のシート状磁石４３を接着剤４４で固定したものである。
【００２８】
磁性コースター４０において、段差凹部４２ａの高さをシート状磁石４３と合致させることにより、磁性コースター４０の主体面における厚さを均等に構成することができる（図７参照。）。このように磁性コースター４０によれば、主体面における厚みが均等であるから、グラスを安定的に載せることができる。また、シート状磁石４３が基材シート４１の全面に及ぶように構成されていることから、グラスの載置位置によらず、グラスの水性飲料に対しシート状磁石４３に基づく磁性を常に効果的に作用させることが可能である。
【００２９】
前記した磁性コースター１０又は２０と同様に、周端縁に端縁部材５又は７を設けることにより、その周端縁を補強することができる。また、磁性コースター２０と同様に、上面に天然材のシート材を被覆するすることにより、外観を高めることができる。
【００３０】
【発明の効果】
上述したように本発明は構成されるから、次のような効果が発揮される。本発明の磁性コースターでは、コースターにおける主体面の厚みが一定となるように構成したから、グラスを安定した状態で載置することができる。また、柔軟性のシート状磁石を使用することにより、コースター全体を柔軟質のものとして得ることができる。
【００３１】
シート状磁石を基材シートの全面に渡るように設けることにより、コースターに載置したグラスの水性飲料に対し、シート状磁石に基づく磁性作用を確実にかつ効果的に発揮させることができる。これにより、シート状磁石による磁性作用により、グラスの水性飲料中の水分子を変化させ、水ひいては水性飲料自体を美味にすることができる。
【００３２】
シート状磁石を環状形にすることにより、磁性コースターを軽量化を図ることができる。この軽量化により、コースターとしての取り扱いが容易となる。
【００３３】
磁性コースターの周端に端縁部材を設けることにより、磁性コースターとしての強度を高めることができると共に、端縁部材によりコースターとしての外観を向上することができる。さらに、コースターとしての外観は磁性コースターの上面に天然材のシート材を被覆することによっても向上することができる。
【図面の簡単な説明】
【図１】本発明に係る第一の実施の形態の磁性コースターの分解斜視図である。
【図２】本発明に係る第二の実施の形態の磁性コースターの部分縦断面図である。
【図３】本発明に係る第三の実施の形態の磁性コースターの部分縦断面図である。
【図４】本発明に係る第四の実施の形態の磁性コースターの分解斜視図である。
【図５】本発明に係る第四の実施の形態の磁性コースターの縦断面図である。
【図６】本発明に係る第五の実施の形態の磁性コースターの分解斜視図である。
【図７】本発明に係る第五の実施の形態の磁性コースターの縦断面図である。
【図８】従来の磁性コースターの縦断面図である。
【符号の説明】
１　磁性コースター
２　基材シート
３　シート状磁石
５　端縁部材
５ａ　凹形部
５ｂ　係止壁
６　固定リング
７　端縁部材
８　シート部材
１０　磁性コースター
２０　磁性コースター
３０　磁性コースター
３１　基材シート
３２ａ　凹形部
３３　シート状磁石
４０　磁性コースター
４１　基材シート
４２　段差凹部
４３　シート状磁石
４４　接着剤
【図１】
2004049550.tif 000003
【図２】
2004049550.tif 000004
【図３】
2004049550.tif 000005
【図４】
2004049550.tif 000006
【図５】
2004049550.tif 000007
【図６】
2004049550.tif 000008
【図７】
2004049550.tif 000009
【図８】
2004049550.tif 000010